(57)【要約】【課題】自毛へ容易且つ強固に装着できると共に製造の容易な付け毛用毛束ユニット及び髪飾りユニットを提供する。【解決手段】人毛又は人工毛を含む毛束１１と、一端に毛束１１が挿通される毛束挿通用の輪１２ａが形成された紐部材１２と、内壁に毛束１１が接着される開口部１３ａを有する固着部材（１３）とを備える構成とする。好ましくは、紐部材１２は、一端に形成された毛束挿通用の輪１２ａに続く部分が固着部材（１３）の開口部１３ａを挿通し、所定の大きさの自毛挿通用の輪１２ｂを形成した状態でこの自毛挿通用の輪１２ｂに続く残る他端（引出し部１３ｃ）が開口部１３ａに逆側から引き出されて配置された構成とする。【選択図】図１
2007321322.tif 000002
【特許請求の範囲】
【請求項１】
人毛又は人工毛を含む毛束と、
一端に前記毛束が挿通される毛束挿通用の輪が形成された紐部材と、
内壁に前記毛束が接着される開口部を有する固着部材と
を備えることを特徴とする付け毛用毛束ユニット。
【請求項２】
前記紐部材は、前記一端に形成された毛束挿通用の輪に続く部分が前記固着部材の開口部を挿通し、所定の大きさの自毛挿通用の輪を形成した状態で該自毛挿通用の輪に続く残る他端が前記開口部に逆側から引き出されて配置されたことを特徴とする請求項１記載の付け毛用毛束ユニット。
【請求項３】
前記固着部材は、熱収縮性チューブであることを特徴とする請求項１又は請求項２記載の付け毛用毛束ユニット。
【請求項４】
前記固着部材は、金属製であることを特徴とする請求項１又は請求項２記載の付け毛用毛束ユニット。
【請求項５】
髪飾りに取り付けられる係合部と、
一端に前記髪飾りが挿通される髪飾り挿通用の輪が形成された紐部材と、
前記係合部が係合する開口部を有する固着部材と
を備えることを特徴とする髪飾りユニット。
【請求項６】
前記紐部材は、前記一端に形成された髪飾り挿通用の輪に続く部分が前記固着部材の開口部を挿通し、所定の大きさの自毛挿通用の輪を形成した状態で該自毛通し用の輪に続く残る他端が前記開口部に逆側から引き出されて配置されたことを特徴とする請求項５記載の髪飾りユニット。
【請求項７】
前記固着部材が熱収縮性チューブであることを特徴とする請求項５又は請求項６記載の髪飾りユニット。
【発明の詳細な説明】
【技術分野】
【０００１】
本発明は、自毛へ容易且つ強固に装着できると共に製造の容易な付け毛用毛束ユニット及び髪飾りユニットに関するものである。
【背景技術】
【０００２】
従来、自毛が比較的薄くなりかけている人が、あたかも豊富な自毛があるように見せるために自毛に取り付ける増毛材として、人毛又は人工毛を含む毛束がある。このような毛束は、増毛材としてだけでなく、部分染めの代わりに自毛の色とは異なる色の毛束を自毛の任意の箇所に取り付けておしゃれに用いる場合もある。
【０００３】
特許文献１では上記の毛束を容易に自毛に装着するために、図５に示す付け毛用毛束ユニット４０のように、毛束４１と、この毛束４１の根元において長さ方向に所定の範囲で毛束４１に塗布された水溶性糊材４２と、この水溶性糊材４２の塗布範囲に一端４３ａを剥離可能に接着され、接着部分に続く部分で所定の大きさの輪４３ｂを形成し、この輪４３ｂに続く残る他端４３ｃを上記接着されている一端４３ａに添い付けて毛束４１の先方向に引き出されて配置された紐部材４３と、内壁の一部によって毛束４１の根元に接着した熱収縮性チューブ４４と、を備える構成が提案されている。
【０００４】
この付け毛用毛束ユニット４０を用いて毛束４１を自毛に固着する場合、紐部材４３で形成した輪４３ｂに不図示の自毛を挿通させ、毛束４１の先方向に引き出された紐部材４３の一端４３ｃを引くことにより上記の輪４３ｂに挿通させた自毛を熱収縮性チューブ４４内に引き込み、この熱収縮性チューブ４４に熱と圧力を加えるようにする。
【０００５】
一方、自毛に髪飾りを装着することでおしゃれを楽しむ者がいる。髪飾りを自毛に装着する場合、髪飾りに設けられた櫛状の取付け部を自毛に差込むのが一般的である。
【特許文献１】特許第３７１１１３３号公報
【発明の開示】
【発明が解決しようとする課題】
【０００６】
ところで、上記特許文献１の技術は、毛束を自毛に容易且つ強固に固着でき、大変便利なものであるが、その反面、毛束と熱収縮性チューブとを接着する接着剤に加え、毛束と紐部材とを接着する接着剤をも塗布しておく必要があるため、製造に手間がかかり、ひいては安価な製品を提供できないという問題があった。
【０００７】
また、髪飾りを自毛に装着する場合、櫛状の取付け部によって容易に自毛に装着することができるが、外れやすく長期間の取付けには不向きであった。更には、例えばチェーン状に連なる髪飾りの場合、上記の櫛状の取付け部を設けるのはほとんど不可能であり、このような髪飾りは容易に自毛に取付けることができなかった。
【０００８】
本発明の課題は、上記従来の実情に鑑み、自毛へ容易且つ強固に装着できると共に製造の容易な付け毛用毛束ユニット及び髪飾りユニットを提供することである。
【課題を解決するための手段】
【０００９】
上記課題を解決するために、本発明の付け毛用毛束ユニットは、人毛又は人工毛を含む毛束と、一端に上記毛束が挿通される毛束挿通用の輪が形成された紐部材と、内壁に上記毛束が接着される開口部を有する固着部材とを備える構成とする。
【００１０】
上記構成によれば、紐部材の一端に形成された毛束挿通用の輪に続く部分で固着部材の開口部を挿通し、所定の大きさの自毛挿通用の輪を形成した状態でこの自毛通し用の輪に続く残る他端を上記開口部に逆側から引き出した状態で使用することにより、自毛挿通用の輪に自毛を入れ、紐部材の開口部から引き出された部分を引き、自毛を挿通させた状態の固着部材に圧力又は熱を加えるという容易な作業で毛束が自毛に強固に固定される。
【００１１】
好ましくは、上記紐部材は、上記一端に形成された毛束挿通用の輪に続く部分が上記固着部材の開口部を挿通し、所定の大きさの自毛挿通用の輪を形成した状態でこの自毛挿通用の輪に続く残る他端が上記開口部に逆側から引き出されて配置された構成とする。
【００１２】
上記構成によれば、予め紐部材に形成された自毛挿通用の輪に、自毛を入れ、紐部材の開口部から引き出された部分を引き、自毛を挿通させた状態の固着部材に圧力又は熱を加えるというより容易な作業で毛束が自毛に強固に固定される。
好ましくは、上記固着部材は、熱収縮性チューブである構成又は金属製である構成とする。
【００１３】
上記課題を解決するため、本発明の髪飾りユニットは、髪飾り（例えば、髪飾りを取り付けるためのチェーンであってもよい。）に取り付けられる係合部と、一端に上記髪飾りが挿通される髪飾り挿通用の輪が形成された紐部材と、上記係合部が係合する開口部を有する固着部材とを備える構成とする。
【００１４】
上記構成によれば、紐部材の一端に形成された髪飾り挿通用の輪に続く部分で固着部材の開口部を挿通し、所定の大きさの自毛挿通用の輪を形成した状態でこの自毛挿通用の輪に続く残る他端を上記開口部に逆側から引き出した状態で使用することにより、自毛挿通用の輪に自毛を入れ、紐部材の開口部から引き出された部分を引き、自毛を挿通させた状態の固着部材に圧力又は熱を加えるという容易な作業で髪飾りが自毛に強固に固定される。
【００１５】
好ましくは、上記紐部材は、上記一端に形成された髪飾り挿通用の輪に続く部分が上記固着部材の開口部を挿通し、所定の大きさの自毛挿通用の輪を形成した状態でこの自毛通し用の輪に続く残る他端が上記開口部に逆側から引き出されて配置された構成とする。
【００１６】
上記構成によれば、予め紐部材に形成された自毛挿通用の輪に、自毛を入れ、紐部材の開口部から引き出された部分を引き、自毛を挿通させた状態の固着部材に圧力又は熱を加えるというより容易な作業で毛束が自毛に強固に固定される。
好ましくは、上記固着部材が熱収縮性チューブである構成とする。
【発明の効果】
【００１７】
本発明の付け毛用毛束ユニットでは、人毛又は人工毛を含む毛束と、一端に上記毛束が挿通される毛束挿通用の輪が形成された紐部材と、内壁に前記毛束が接着される開口部を有する固着部材とを備えている。ここで、紐部材の一端に形成された毛束挿通用の輪に続く部分で固着部材の開口部を挿通し、所定の大きさの自毛挿通用の輪を形成した状態でこの自毛挿通用の輪に続く残る他端を上記開口部に逆側から引き出した状態で使用することにより、自毛挿通用の輪に自毛を入れ、紐部材の開口部から引き出された部分を引き、自毛を挿通させた状態の固着部材に圧力又は熱を加えるという容易な作業で毛束が自毛に強固に固定される。また、紐部材の一端に毛束挿通用の輪を形成しており、糊剤を多用することがなく簡素な構成であるため、製造が容易である。よって、本発明の付け毛用毛束ユニットによれば、毛束を自毛へ容易且つ強固に装着できると共に製造を容易にすることができる。
【００１８】
本発明の髪飾りユニットでは、髪飾りに取り付けられる係合部と、一端に上記髪飾りが挿通される髪飾り挿通用の輪が形成された紐部材と、上記係合部が係合する開口部を有する固着部材とを備えている。ここで、紐部材の一端に形成された髪飾り挿通用の輪に続く部分で固着部材の開口部を挿通し、所定の大きさの自毛挿通用の輪を形成した状態でこの自毛挿通用の輪に続く残る他端を上記開口部に逆側から引き出した状態で使用することにより、自毛挿通用の輪に自毛を入れ、紐部材の開口部から引き出された部分を引き、自毛を挿通させた状態の固着部材に圧力又は熱を加えるという容易な作業で髪飾りが自毛に強固に固定される。また、紐部材の一端に髪飾り挿通用の輪を形成しており、糊剤を多用することがなく簡素な構成であるため、製造が容易である。よって、本発明の髪飾りユニットによれば、髪飾りを自毛へ容易且つ強固に装着できると共に製造を容易にすることができる。
【発明を実施するための最良の形態】
【００１９】
以下、本発明の実施の形態に係る付け毛用毛束ユニット及び髪飾りユニットについて、図面を参照しながら説明する。
図１は、本発明の第１実施形態に係る付け毛用毛束ユニットを示す斜視図である。
【００２０】
同図において、付け毛用毛束ユニット１０は、人毛又は人工毛を含む毛束１１と、一端に毛束１１が挿通される毛束挿通用の輪１２ａが形成された紐部材１２と、内壁に毛束１１が接着される開口部１３ａを有する固着部材としての熱収縮性チューブ１３とを備えている。
【００２１】
また、紐部材１２は、毛束挿通用の輪１２ａに続く部分が熱収縮性チューブ１３の開口部１３ａを挿通し、所定の大きさの自毛挿通用の輪１２ｂを形成した状態でこの自毛挿通用の輪１２ｂに続く残る他端（引出し部）１２ｃが開口部１３ａに逆側から引き出されて配置されている。
【００２２】
ここで、紐部材１２は、例えば付け毛用毛束ユニット１０の装着者が自ら自毛通し用の輪１２ｂを形成できるため、自毛通し用の輪１２ｂを形成していない状態、即ち毛束挿通用の輪１２ａに続く部分が熱収縮性チューブ１３の開口部１３ａを挿通せず同図における下方に延びている状態としてあってもよい。更には、毛束挿通用の輪１２ａについても、装着者自らが毛束挿通用の輪１２ａに毛束１１を挿通させればよいため、同図に示すように毛束１１を挿通させた状態としてなくともよい。
【００２３】
毛束１１は、自毛の色のものを用いて薄毛を隠すという目的で使用することが可能であるが、自毛の色以外の色のものを用いることで、おしゃれ目的で使用することができる。また、毛束１１は、同図に示す例では上端において熱収縮性チューブ１３の開口部１３ａ内壁に接着されている。しかし、毛束１１の熱収縮性チューブ１３への接着は上端において接着しなくとも毛束１１の自毛への固着を妨げることにはならないため、その位置は限定されない。なお、毛束１１に人工毛を用いる場合には、例えばナイロン等の先染め又は後染めの合成繊維フィラメントを用いることができる。
【００２４】
紐部材１２の毛束挿通用の輪１２ａは、詳しくは後述するが、自毛を熱収縮性チューブ１３に引き込む際に紐部材１３が毛束１１から外れない程度に形成されていればよく、その大きさは毛束１１を挿通させることができるものであればよい。また、紐部材１２の自毛挿通用の輪１２ｂは、おおよそ直径２５ｍｍの円程度の大きさであれば十分に自毛を自毛挿通用の輪１２ｂ内に導き入れることができる。もっとも、自毛挿通用の輪１２ｂの径は、２５ｍｍに限るものではなく、これより大きくても又は小さくてもよい。また、紐部材１２の材料としては、天蚕糸（てぐす）、ナイロン糸等を用いることができるが、他の部材であっても何ら問題ない。なお、紐部材１２は、上述のように、自毛挿通用の輪１２ａを形成していない状態としなくともよいが、自毛挿通用の輪１２ａを形成しておく場合には、熱収縮性チューブ１３を挿通する部分のうち毛束挿通用の輪１２ａ側において毛束１１或いは熱収縮性チューブ１３に接着しておくとよい。
【００２５】
熱収縮性チューブ１３は、熱を加えられることで収縮するものであればよいが、開口部１３ａの内壁の略全面に熱溶融性の接着剤を塗布されて構成されるようにするとよい。このようにすると、詳しくは後述するが、毛束１１を自毛に固着させたとき、熱収縮性チューブ１３の収縮、及び熱溶融性の接着剤の溶融と凝固により、より強力に毛束１１を自毛に固着させることができる。
【００２６】
図２Ａ〜図２Ｅは、上記第１実施形態に係る付け毛用毛束ユニットの自毛への固着を示す説明図である。
図２Ａにおいて、まず、取り付け技師（又は付け毛用毛束ユニット１０を装着する本人、以下同様）は、付け毛用毛束ユニット１０の紐部材１２で形成されている自毛挿通用の輪１２ｂの中に、任意の量の自毛１４の先端部を引き入れる。自毛挿通用の輪１２ｂは、上述したようにその径が例えば２５ｍｍの大きさに形成されているので、自毛挿通用の輪１２ｂの中への自毛１４の引き入れは容易である。
【００２７】
この後、熱収縮性チューブ１３よりも下方に引き出されている紐部材１２の引出し部１２ｃを、下方に引っ張る。そのため、自毛１４が２つ折りになり（図２Ｂ）、熱収縮性チューブ１３内に引き込まれる（図２Ｃ）。なお、輪１２ａにより紐部材１２の一端が毛束１１の途中に確実に係止されるので、紐部材１２は外れにくくなっている。ここで、引き出したい自毛１４が相当に長い場合には、紐部材１２を引っ張るだけでは自毛１４を完全に引き出せないこともある。そのようなときには、途中まで引き出した自毛１４を指でつまんで引き出す、又は細い棒等を使って引き出す必要がある。
【００２８】
完全に自毛１４が熱収縮性チューブ１３に引き込まれた後、図２Ｄに示すように、紐部材１２を毛束１１から引き出して外す。この際、紐部材１２を毛束１１の先端方向へ軽く引っ張るだけで、輪１２ａが毛束１１に沿って滑るように移動し、簡単に外れる。そして、図２Ｅに示すように、予め加熱された挟み鏝１５により、熱収縮性チューブ１３を挟み込む。これにより、熱収縮性チューブ１３が熱収縮して毛束１１が自毛１４に強固に固着される。なお、上述したように、熱収縮性チューブ１３には、その開口部１３ａ内壁に予め熱溶融性接着剤を塗布してあるものを用いるのが好ましい。そうすると、熱や圧力による熱収縮性チューブ１３の収縮と共に、熱溶融性接着剤が溶融し、その溶融した接着剤が毛束１１及び自毛１４に浸透して凝固するので、毛束１１と自毛１４とがより強固に固着されるようになる。
【００２９】
ここで、毛束１１及び熱収縮性チューブ１３を自毛１４から取外す際には、例えば開口部１３ａに鋏等を入れて熱収縮性チューブ１３を切取ることができる。また、開口部１３ａの内壁の略全面に熱溶融性の接着剤が塗布されている場合には、この部分を再度加熱することにより、毛束１１及び熱収縮性チューブ１３の取外しが容易になる。なお、熱溶融性の接着剤が塗布されていなくとも、熱収縮性チューブ１３を加熱することにより取り外しは容易になる。
【００３０】
本実施形態の付け毛用毛束ユニット１０では、人毛又は人工毛を含む毛束１１と、一端に毛束１１が挿通される毛束挿通用の輪１２ａが形成された紐部材１２と、内壁に毛束１１が接着される開口部１３ａを有する熱収縮性チューブ１３とを備えている。ここで、図１に示す付け毛用毛束ユニット１０のように、紐部材１２の一端に形成された毛束挿通用の輪１２ａに続く部分で熱収縮性チューブ１３の開口部１３ａを挿通し、所定の大きさの自毛挿通用の輪１２ｂを形成した状態でこの自毛挿通用の輪１２ｂに続く残る他端（引き出し部）１２ｃを開口部１３ａに逆側から引き出した状態で使用することにより、自毛挿通用の輪１２ｂに自毛１４を入れ、紐部材１２の引出し部１２ｃを引き、自毛１４を挿通させた状態の熱収縮性チューブ１３に圧力及び熱を加えるという容易な作業で毛束１１が自毛１４に強固に固定される。また、紐部材１２の一端に毛束挿通用の輪１２ａを形成しており、糊剤を多用することがなく簡素な構成であるため、製造が容易である。よって、本実施形態に係る付け毛用毛束ユニット１０によれば、毛束１１を自毛１４へ容易且つ強固に装着できると共に製造を容易にすることができる。
さらに、紐部材の一端が接着剤で固定されている特許文献１の発明と比べ、紐部材１２を利用して熱収縮性チューブ１３から自毛を引き出す際には、輪１２ａにより紐部材１２の一端を毛束１１の途中に確実に係止しておくことができるので、自毛の引き出しを有効かつ確実に行なうことができ、また、紐部材１２を毛束１１から取り外す際にも、輪１２ａを毛束１１に沿ってその先端へ向けて軽くすべらすだけでよいので、よりスムーズに取り外すことができる。
【００３１】
図３は、本発明の第２実施形態に係る付け毛用毛束ユニットを示す斜視図である。
本実施形態における付け毛用毛束ユニット２０は、固着部材として金属チップ２３を用いている点のみ図１に示す付け毛用毛束ユニット１０と相違するため、詳細な説明は省略する。
【００３２】
図３において、付け毛用毛束ユニット２０は、人毛又は人工毛を含む毛束２１と、一端に毛束２１が挿通される毛束挿通用の輪２２ａが形成された紐部材２２と、内壁に毛束２１が接着される開口部２３ａを有する固着部材としての金属チップ２３とを備えている。
【００３３】
また、紐部材２２は、毛束挿通用の輪２２ａに続く部分が金属チップ２３の開口部２３ａを挿通し、所定の大きさの自毛挿通用の輪２２ｂを形成した状態でこの自毛挿通用の輪２２ｂに続く残る他端（引出し部）２２ｃが開口部２３ａに逆側から引き出されて配置されている。
【００３４】
ここで、紐部材２２は、例えば付け毛用毛束ユニット２０の装着者が自ら自毛通し用の輪２２ｂを形成できるため、自毛通し用の輪２２ｂを形成していない状態、即ち毛束挿通用の輪２２ａに続く部分が金属チップ２３の開口部２３ａを挿通せず同図における下方に延びている状態としてあってもよい。更には、毛束挿通用の輪２２ａについても、装着者自らが毛束挿通用の輪２２ａに毛束２１を挿通させればよいため、同図に示すように毛束２１を挿通させた状態としてなくともよい。
【００３５】
金属チップ２３は、ペンチ等を用いることにより形状を変形させることができるものであればよい。なお、開口部２３ａの断面形状は円形としているが、楕円形とすることで、自毛や紐部材２２の挿通、或いはペンチ等による変形を容易にすることもできる。
【００３６】
本実施形態に係る付け毛用毛束ユニット２０の自毛への固着は、概ね上記第１実施形態で示したようにするとよいが（図２Ａ〜図２Ｄ）、図２Ｅに示す挟み鏝１５に代えてペンチ等により、自毛を挿通させた金属チップ２３を押圧して変形させて自毛と毛束２１とを固着させる。その際のペンチ等による金属チップ２３の押圧は、頭皮に垂直な方向において金属チップ２３に圧力が加わるようにするとよい。そのようにすることで、押圧により生じる金属チップ２３の平面部が頭皮に接触するため、人の頭部を傷つけることがない。なお、自毛と毛束２１とを固着した金属チップ２３を取外す際には、金属チップ２３が拡がった方向から変形前の金属チップ２３の形状に戻すようにペンチ等により押圧することにより、金属チップ２３の開口部２３ａが再度開き、自毛及び金属チップ２３を取外すことができる。
【００３７】
本実施形態に係る付け毛用毛束ユニットによれば、上記第１実施形態の熱収縮性チューブ１３に代えて金属チップ２３を用いることでも、毛束２１を自毛へ容易且つ強固に装着できると共に製造を容易にすることができる。また、熱収縮性チューブ１３のように自毛と毛束２１とを固着する際に熱を必要としないため、毛束２１の装着者が自ら毛束２１を取付ける場合でも、容易に自毛に固着することができる。
【００３８】
図４は、本発明の第３実施形態に係る髪飾りユニットを示す斜視図である。
本実施形態における髪飾りユニット３０は、毛束１１に代えて髪飾り装着用チェーン３１を用いている点のみ図１に示す付け毛用毛束ユニット１０と相違するため、詳細な説明は省略する。
【００３９】
同図において、髪飾りユニット３０は、髪飾り装着用チェーン３１に取り付けられる係合部３１ａと、一端に髪飾り装着用チェーン３１が挿通される髪飾り挿通用の輪３２ａが形成された紐部材３２と、係合部３１ａが係合する開口部３３ａを有する固着部材としての熱収縮性チューブ３３とを備えている。なお、本実施形態に係る髪飾り装着用チェーン３１は、本発明の「髪飾り」の一例として用いており、例えば不図示の髪飾りを装着する者は、この髪飾り装着用チェーン３１に好みで、例えばピアス等の装飾品を取付けてもよい。また、この髪飾り装着用チェーン３１を省略して、係合部３１ａに直接、不図示の髪飾りを取付けることも可能である。
【００４０】
紐部材３２は、髪飾り挿通用の輪３２ａに続く部分が熱収縮性チューブ３３の開口部３３ａを挿通し、所定の大きさの自毛挿通用の輪３２ｂを形成した状態でこの自毛挿通用の輪３２ｂに続く残る他端（引出し部）３２ｃが開口部３３ａに逆側から引き出されて配置されている。
【００４１】
ここで、紐部材３２は、例えば付け毛用毛束ユニット３０の装着者が自ら自毛通し用の輪３２ｂを形成できるため、自毛通し用の輪３２ｂを形成していない状態、即ち髪飾り挿通用の輪３２ａに続く部分が熱収縮性チューブ３３の開口部３３ａを挿通せず同図における下方に延びている状態としてあってもよい。また、髪飾り挿通用の輪３２ａについても、装着者自らが髪飾り挿通用の輪３２ａに髪飾り装着用チェーン３１を挿通させればよいため、同図に示すように髪飾り装着用チェーン３１を挿通させた状態としてなくともよい。更には、係合部３１ａが単体で、即ち髪飾り装着用チェーン３１とは別個に、熱収縮性チューブ３３に係合している状態も考えられる。この場合、不図示の髪飾りに加え、髪飾り装着用チェーン３１も装着者が任意に選択して装着することができる。
【００４２】
髪飾り装着用チェーン３１は、ここでは回転具（サルカン）、チェーン等からなるが、どのようなものが付いていても不図示の髪飾りを装着者の好みに合わせて自由に取付けることによっておしゃれを楽しむことができるため、これらに限定されない。また、係合部３１ａとしては、ここでは小型の安全ピンを用いている。これにより髪飾り装着用チェーン３１及び熱収縮性チューブ３３の両方と容易に脱着可能となる。なお、係合部３１ａの形状は上記の安全ピンのようなものを用いなくともよく、また、材質等も特に限定されないが、例えば上記第２実施形態（図３）のように固着部材として熱収縮性チューブではなく金属チップを用いている場合、係合部３１ａを金属製とすると金属チップの変形の際に係合部３１ａも変形してしまうため、その場合には係合部３１ａは弾性材料からなるようにするとよい。
【００４３】
本実施形態に係る髪飾り用ユニット３０では、髪飾り装着用チェーン３１に取り付けられる係合部３１ａと、一端に髪飾り装着用チェーン３１が挿通される髪飾り挿通用の輪３２ａが形成された紐部材３２と、係合部３１ａが係合する開口部３３ａを有する固着部材としての熱収縮性チューブ３３とを備えている。ここで、図４に示す髪飾りユニット３０のように、紐部材３２の一端に形成された髪飾り挿通用の輪３２ａに続く部分で熱収縮性チューブ３３の開口部３３ａを挿通し、所定の大きさの自毛挿通用の輪３２ｂを形成した状態でこの自毛挿通用の輪３２ｂに続く残る他端（引き出し部）３２ｃを開口部３３ａに逆側から引き出した状態で使用することにより、自毛挿通用の輪３２ｂに自毛を入れ、紐部材３２の引出し部３２ｃを引き、自毛を挿通させた状態の熱収縮性チューブ３３に圧力及び熱を加えるという容易な作業で髪飾り装着用チェーン３１が自毛に強固に固定される。また、紐部材３２の一端に髪飾り挿通用の輪３２ａを形成しており、糊剤を多用することがなく簡素な構成であるため、製造が容易である。よって、本実施形態に係る髪飾りユニット３０によれば、髪飾り装着用チェーン３１を自毛へ容易且つ強固に装着できると共に製造を容易にすることができる。
【００４４】
なお、上記第１実施形態及び第２実施形態においては、毛束を自毛に固着する例を説明したが、毛束に加えて更に上記第３実施形態に係る髪飾り装着用チェーン３１を固着するようにしてもよく、更には例えば異なる色を呈する複数の毛束或いは複数の髪飾りをまとめて固着してもよい。
【図面の簡単な説明】
【００４５】
【図１】本発明の第１実施形態に係る付け毛用毛束ユニットを示す斜視図である。
【図２Ａ】上記第１実施形態に係る付け毛用毛束ユニットの自毛への固着を示す説明図（その１）である。
【図２Ｂ】上記第１実施形態に係る付け毛用毛束ユニットの自毛への固着を示す説明図（その２）である。
【図２Ｃ】上記第１実施形態に係る付け毛用毛束ユニットの自毛への固着を示す説明図（その３）である。
【図２Ｄ】上記第１実施形態に係る付け毛用毛束ユニットの自毛への固着を示す説明図（その４）である。
【図２Ｅ】上記第１実施形態に係る付け毛用毛束ユニットの自毛への固着を示す説明図（その５）である。
【図３】本発明の第２実施形態に係る付け毛用毛束ユニットを示す斜視図である。
【図４】本発明の第３実施形態に係る付け毛用毛束ユニットを示す斜視図である。
【図５】従来の付け毛用毛束ユニットを示す斜視図である。
【符号の説明】
【００４６】
１０      付け毛用毛束ユニット
１１      毛束
１２      紐部材
１２ａ      毛束挿通用の輪
１２ｂ      自毛挿通用の輪
１２ｃ      引出し部
１３      熱収縮性部材
１３ａ      開口部
１４      自毛
１５      挟み鏝
２０      付け毛用毛束ユニット
２１      毛束
２２      紐部材
２２ａ      毛束挿通用の輪
２２ｂ      自毛挿通用の輪
２２ｃ      引出し部
２３      金属チップ
２３ａ      開口部
３０      髪飾りユニット
３１      髪飾り装着用チェーン
３２      紐部材
３２ａ      髪飾り挿通用の輪
３２ｂ      自毛挿通用の輪
３２ｃ      引出し部
３３      熱収縮性部材
３３ａ      開口部
【図１】
2007321322.tif 000003
【図２Ａ】
2007321322.tif 000004
【図２Ｂ】
2007321322.tif 000005
【図２Ｃ】
2007321322.tif 000006
【図２Ｄ】
2007321322.tif 000007
【図２Ｅ】
2007321322.tif 000008
【図３】
2007321322.tif 000009
【図４】
2007321322.tif 000010
【図５】
2007321322.tif 000011